(57)【要約】【課題】衝突によるドアの開放を確実に防止可能で、かつ、使い勝手が良好な車両のハンドル装置の提供を目的とする。【解決手段】操作ハンドル１は、初期位置において係止部４をハンドルベース２に係止させてドアラッチ開放操作が規制されるとともに、該初期位置から前記ドアラッチ解除操作方向と異なる方向への操作ハンドル１への操作により前記係止部４の係止が解除されてドアラッチ開放操作が可能となり、  かつ、前記操作ハンドル１には、開放操作可能位置においてハンドルベース２を押圧して操作ハンドル１を初期位置に付勢する押圧部材５が装着されるとともに、  前記係止部４は、前記押圧部材５を突出方向に付勢するスプリング６により押圧部材５の突出方向と反対方向に突出するように付勢されてラッチ解除操作位置から初期位置に至る復路においてハンドルベース２に弾発係止可能に構成する。【選択図】  図５
2014084563.tif 000002
【特許請求の範囲】
【請求項１】
ドア開閉の際の手掛けとなる操作ハンドルをハンドルベースに連結し、該操作ハンドルを移動操作してドアラッチを解除操作する車両のハンドル装置であって、
前記操作ハンドルは、初期位置において係止部をハンドルベースに係止させてドアラッチ開放操作が規制されるとともに、該初期位置から前記ドアラッチ解除操作方向と異なる方向への操作ハンドルへの操作により前記係止部の係止が解除されてドアラッチ開放操作が可能となり、
かつ、前記操作ハンドルには、開放操作可能位置においてハンドルベースを押圧して操作ハンドルを初期位置に付勢する押圧部材が装着されるとともに、
前記係止部は、前記押圧部材を突出方向に付勢するスプリングにより押圧部材の突出方向と反対方向に突出するように付勢されてラッチ解除操作位置から初期位置に至る復路においてハンドルベースに弾発係止可能な車両のハンドル装置。
【請求項２】
ドア開閉の際の手掛けとなる操作ハンドルをハンドルベースに連結し、該操作ハンドルを移動操作してドアラッチを解除操作する車両のハンドル装置であって、
前記操作ハンドルは、不使用時に適宜手段で保持される初期位置において係止部をハンドルベースに係止させてドアラッチ開放操作が規制され、該初期位置から前記ドアラッチ解除操作方向と異なる方向への操作ハンドルへの操作により係止部の係止が解除されてドアラッチ開放操作が可能になる車両のハンドル装置。
【請求項３】
前記操作ハンドルには開放操作可能位置から初期位置に向けて付勢して操作ハンドルを不使用時に初期位置に保持する付勢力が付与される請求項２記載の車両のハンドル装置。
【請求項４】
前記係止部は、ラッチ解除操作位置から初期位置に至る復路においてハンドルベースに弾発係止する請求項２または３記載の車両のハンドル装置。
【請求項５】
前記操作ハンドルには、開放操作可能位置においてハンドルベースを押圧して操作ハンドルを初期位置に付勢する押圧部材が装着されるとともに、
係止部は、前記押圧部材を突出方向に付勢するスプリングにより押圧部材の突出方向と反対方向に突出するように付勢されてラッチ解除操作位置から初期位置に至る復路においてハンドルベースに弾発係止する請求項２記載の車両のハンドル装置。
【請求項６】
ハンドルベースに連結され、ドア開閉の際の手掛けとなる操作ハンドルをハンドルベースとの回転中心周りに初期位置から回転操作してドアラッチを解除操作する車両のハンドル装置であって、
前記操作ハンドルは、係止部をハンドルベースに係止させて前記回転操作が規制された初期位置において、前記回転操作に加え、該回転操作の回転方向と異なる回転軸周りの第２の回転操作が可能にハンドルベースに連結され、
かつ、操作ハンドルは、前記第２の回転操作により係止部の係止が解除されてドアラッチ解除方向への回転操作が可能に形成される車両のハンドル装置。
【請求項７】
前記操作ハンドルのハンドルベースへの連結部位には、前記初期位置からドアラッチ解除方向への回転操作時の回転軸に対して直交する回転軸周りの回転自由度が設定される請求項６記載の車両のハンドル装置。
【発明の詳細な説明】
【技術分野】
【０００１】
本発明は、車両のハンドル装置に関するものである。
【背景技術】
【０００２】
カウンタウエイト等の慣性力相殺質量を使用することなく車両への衝突力が付与された際の慣性によるドア開放を防止した車両のハンドルとしては、特許文献１に記載のものが知られている。
【０００３】
この従来例において、ハンドルにはサイドドアの係止部に係止する係止位置と係止解除位置との間で回転自在なレバーが連結される。レバーはバネにより係止位置に付勢されて係止部に係止するために、非操作状態においてはハンドルのサイドドアに対する相対移動が規制さて衝撃によるサイドドアの開放動作が防止される。
【０００４】
また、上記レバーはハンドルを操作する際に操作者の手がぶつかる位置に配置されており、ハンドル操作時に係止解除位置に移動し、ハンドルを使用したサイドドアの操作が許容される。
【先行技術文献】
【特許文献】
【０００５】
【特許文献１】特開２０００-２６４０６４号公報
【発明の概要】
【発明が解決しようとする課題】
【０００６】
しかし、上述した従来例において、ハンドルの操作を可能にするためには、ハンドル裏面に配置されるレバー位置を探って該レバーを操作する必要があるために、使い勝手が悪いという問題がある。
【０００７】
本発明は、以上の欠点を解消すべくなされたものであって、衝突によるドアの開放を確実に防止可能で、かつ、使い勝手が良好な車両のハンドル装置の提供を目的とする。
【課題を解決するための手段】
【０００８】
本発明によれば上記目的は、
ドア開閉の際の手掛けとなる操作ハンドル１をハンドルベース２に連結し、該操作ハンドル１を移動操作してドアラッチ３を解除操作する車両のハンドル装置であって、
前記操作ハンドル１は、初期位置において係止部４をハンドルベース２に係止させてドアラッチ開放操作が規制されるとともに、該初期位置から前記ドアラッチ解除操作方向と異なる方向への操作ハンドル１への操作により前記係止部４の係止が解除されてドアラッチ開放操作が可能となり、
かつ、前記操作ハンドル１には、開放操作可能位置においてハンドルベース２を押圧して操作ハンドル１を初期位置に付勢する押圧部材５が装着されるとともに、
前記係止部４は、前記押圧部材５を突出方向に付勢するスプリング６により押圧部材５の突出方向と反対方向に突出するように付勢されてラッチ解除操作位置から初期位置に至る復路においてハンドルベース２に弾発係止可能な車両のハンドル装置を提供することにより達成される。
【０００９】
操作ハンドル１は車両に固定されるハンドルベース２に対して所定の開放操作方向に移動操作することによりドアラッチ３を解除操作するように構成されており、初期位置、すなわち、不使用状態においては、上記ドアラッチ３を解除する操作は操作ハンドル１の係止部４をハンドルベース２に係止させて規制される。
【００１０】
また、操作ハンドル１は、初期位置において上記開放操作方向と異なる方向に並進、あるいは回転等の移動操作をして初期位置からラッチ解除操作位置に移動する自由度を有してハンドルベース２に装着されており、ラッチ解除操作位置において操作ハンドル１のハンドルベース２との係止状態は解除され、以後、ドアラッチ解除操作が可能になる。
【００１１】
したがってこの発明において、操作ハンドル１は初期位置においてドアラッチ３の解除操作が規制されているために、衝突時に発生する慣性力等の作用によって操作ハンドル１がドアラッチ解除操作方向に作動してドアが不用意に開放されることが防止される。また、係止解除操作は、操作ハンドル１自体のラッチ解除操作位置への移動操作により行われるために、従来例のように、操作ハンドル１に連結されたレバー等の付属物を別途操作する必要がないために、操作性が良好で、かつ、操作信頼性を高めることができる。
【００１２】
また、ハンドル装置は、
ドア開閉の際の手掛けとなる操作ハンドル１をハンドルベース２に連結し、該操作ハンドル１を移動操作してドアラッチ３を解除操作する車両のハンドル装置であって、
前記操作ハンドル１は、不使用時に適宜手段で保持される初期位置において係止部４をハンドルベース２に係止させてドアラッチ開放操作が規制され、該初期位置から前記ドアラッチ解除操作方向と異なる方向への操作ハンドル１への操作により係止部４の係止が解除されてドアラッチ開放操作が可能になるように構成することができる。
【００１３】
操作ハンドル１は適宜の手段により初期位置に保持することができるが、
前記操作ハンドル１には開放操作可能位置から初期位置に向けて付勢して操作ハンドル１を不使用時に初期位置に保持する付勢力が付与されるように構成すると、構造が簡単で、かつ、初期位置への復帰動作が確実になる。
【００１４】
さらに、ハンドル装置は、
前記係止部４は、ラッチ解除操作位置から初期位置に至る復路においてハンドルベース２に弾発係止するように構成することができる。
【００１５】
ドアラッチ解除操作は、操作ハンドル１を初期位置から開放操作可能位置まで操作した後、さらにラッチ解除操作位置まで移動させて行い、同様のルートでを辿って初期位置に復帰させることも可能であるが、係止部４を弾発係止可能に形成すると、復路において係止部４は弾性的に縮退してハンドルベース２の被係止部４を乗り越えることができる。この結果、操作ハンドル１は、ラッチ解除操作位置から初期位置に向けて開放操作可能位置を経由することなく復帰させることが可能になるために、スプリング６等を使用してラッチ解除操作位置から初期位置に復帰させる構成を取る場合には、復帰動作の信頼性を高めることが可能になる。
【００１６】
また、ハンドル装置は、
前記操作ハンドル１には、開放操作可能位置においてハンドルベース２を押圧して操作ハンドル１を初期位置に付勢する押圧部材５が装着されるとともに、
係止部４は、前記押圧部材５を突出方向に付勢するスプリング６により押圧部材５の突出方向と反対方向に突出するように付勢されてラッチ解除操作位置から初期位置に至る復路においてハンドルベース２に弾発係止するように構成することができる。
【００１７】
さらに、
ハンドルベース２に連結され、ドア開閉の際の手掛けとなる操作ハンドル１をハンドルベース２との回転中心周りに初期位置から回転操作してドアラッチ３を解除操作する車両のハンドル装置であって、
前記操作ハンドル１は、係止部４をハンドルベース２に係止させて前記回転操作が規制された初期位置において、前記回転操作に加え、該回転操作の回転方向と異なる回転軸周りの第２の回転操作が可能にハンドルベース２に連結され、
かつ、操作ハンドル１は、前記第２の回転操作により係止部４の係止が解除されてドアラッチ解除方向への回転操作が可能に形成される車両のハンドル装置を構成することが可能である。
【００１８】
操作ハンドル１の第２の回転操作の際の回転軸は、初期位置からドアラッチ解除方向に回転操作する際の回転軸を傾斜させる方向に設定し、操作ハンドル１をドアラッチ解除方向への回転面に直交する平面内で回転させることも可能であるが、
前記操作ハンドル１のハンドルベース２への連結部位には、前記初期位置からドアラッチ解除方向への回転操作時の回転軸に対して直交する回転軸周りの回転自由度が設定される車両のハンドル装置を構成すると、第２の回転操作を意識することなく係止部４の係止解除動作が行われるために、操作性が低下することがない。
【００１９】
すなわち、初期位置において、操作ハンドル１の一側面に回転操作力を与えた場合、例えば、車長方向に長いグリップ式の操作ハンドル１の上端縁に回転操作力を与えた場合、操作ハンドル１は、回転面への移動が規制されているために、操作ハンドル１上縁には接触位置に発生している摩擦力による操作力が発生し、まず、上述した第２の回転操作が発生して係止部４の係止が解除された後、引き出し方向の操作力によりドアラッチ解除方向の回転操作が発生し、ドアラッチ３を解除させることができる。
【００２０】
また、車両に側方衝突が発生した場合、このような摩擦力により第２の回転操作力は発生しないために、操作ハンドル１が開放操作可能位置に移動することはなく、ドアの不用意な開放が確実に防がれる。
【発明の効果】
【００２１】
本発明によれば、操作ハンドル１が初期位置においてドアラッチ３を解除する方向への移動が規制されるために、車体に衝突力が負荷され、操作ハンドル１に慣性力が発生しても、操作ハンドル１がドアラッチ解除操作方向に動作することがないために、ドアの開放を確実に防止することができる。
【００２２】
また、ドアラッチ解除操作方向への移動を規制している係止部４の係止は、操作ハンドル１を該ドアラッチ解除操作方向と異なる方向に移動操作することにより解除することができるために、使い勝手の低下を招くこともない。
【図面の簡単な説明】
【００２３】
【図１】本発明を示す正面図である。
【図２】図１の断面図で、（ａ）は初期位置における２Ａ-２Ａ線断面図、（ｂ）はラッチ解除操作位置における２Ａ-２Ａ線断面図である。
【図３】操作ハンドルの連結部を示す図で、（ａ）は図１の３Ａ-３Ａ線断面図、（ｂ）は初期位置における図３（ａ）の３Ｂ方向矢視図、（ｃ）はラッチ解除操作位置における図３（ａ）の３Ｂ方向矢視図である。
【図４】図１の４Ａ-４Ａ線断面図である。
【図５】本発明の動作を示す図で、（ａ）は開放操作可能位置における図１の４Ａ-４Ａ線断面図、（ｂ）はラッチ解除操作位置における図１の４Ａ-４Ａ線断面図である。
【図６】開放操作可能位置における図１の３Ａ-３Ａ線断面図である。
【発明を実施するための形態】
【００２４】
図１以下に示すように、ハンドル装置は、車両のドアパネルに固定されるハンドルベース２に操作ハンドル１を連結して形成される。ハンドルベース２は図外のドアパネルの裏面に沿って適宜手段によりドアパネルに固定される。
【００２５】
操作ハンドル１は、車長方向に長寸で、前端部（以下、本明細書において図１に示す姿勢を基準に右を「前」、紙面手前側の「正面」、反対方を「裏面」とする。）にヒンジ脚部７を、後端部に作動脚部８を各々突設して形成され、ヒンジ脚部７をハンドルベース２に係止させて図２（ａ）に示す初期位置から図２（ｂ）に示すラッチ解除位置まで回転操作可能に連結される。
【００２６】
ヒンジ脚部７をハンドルベース２に回転自在に連結するために、ヒンジ脚部７には、ベース係止溝７ａが形成されるとともに、ハンドルベース２の前方部の側壁にはヒンジ突部２ａが突設され、ハンドルベース２の前部開口２ｂから挿入されたヒンジ脚部７のベース係止溝７ａをヒンジ突部２ａに係止させてヒンジ回転中心が形成される。
【００２７】
操作ハンドル１のハンドルベース２への連結は、車両にハンドルベース２を固定した後行われ、装着状態でのがたつきを防止するために、ハンドルベース２には操作ハンドル１の前端を弾性的に当接して該操作ハンドル１を後方に付勢する弾性舌片２ｃが設けられ、操作ハンドル１の後方への移動は、作動脚部８をハンドルベース２に固定されるストッパ９に当接させて規制される。
【００２８】
また、操作ハンドル１の作動脚部８には、係止段部８ａが形成されるとともに、ハンドルベース２には中継レバー１０が装着される。中継レバー１０は、ハンドルベース２の後部開口２ｄから挿入された作動脚部８の係止段部８ａに係止するアーム部１０ａを有して前後方向を向く回転軸（Ｃ０）周りに回転自在に連結される。この中継レバー１０は、トーションスプリング１１によりアーム部１０ａが図２（ｂ）に示す作動回転位置から図２（ａ）に示す初期回転位置側に向けて付勢されており、当該トーションスプリング１１の付勢力により操作ハンドル１は初期位置に付勢、保持される。
【００２９】
さらに、図４に示すように、中継レバー１０には回転軸（Ｃ０）から適宜間隔離れた位置に伝達部材連結部１０ｂが形成される。伝達部材連結部１０ｂには、図１に示すように、一端がドアパネルに固定されるドアラッチ３に連結される伝達部材１２の他端が連結される。
【００３０】
本例において伝達部材１２にはアウターケーブル内にインナーケーブルを移動自在に挿通させたケーブル装置が使用されており、ハンドルベース２にはケーブル装置のアウターケーブルを固定するためのケーブル固定部２ｅが設けられる。
【００３１】
したがってこの実施の形態において、操作ハンドル１を初期位置からラッチ解除位置まで回転操作すると、中継レバー１０はアーム部１０ａが操作ハンドル１の係止段部８ａにより正面側に押し出され、図４に示す初期回転位置から図５（ｂ）に示す作動回転位置まで回転する。中継レバー１０の回転に伴って中継レバー１０の伝達部材連結部１０ｂも移動して伝達部材１２に引張方向の変位を付与し、ドアラッチ３の解除動作が行われる。
【００３２】
以上の操作ハンドル１が初期位置から直接ラッチ解除位置まで移動することを規制するために、図４に示すように、操作ハンドル１には初期位置においてハンドルベース２に形成される被係止部１３に係止する係止部４が設けられる。
【００３３】
係止部４は、作動脚部８の先端に形成される上下方向を向く係止部収容孔１４内に上下方向移動自在に収容され、圧縮スプリング６により突出方向に付勢される。この係止部４を係止する被係止部１３は、作動脚部８の表裏方向への移動をガイドするガイド壁面１５に形成されており、操作ハンドル１が表面方向に移動した際に突出状態の係止部４に当接して該操作ハンドル１の表面側への移動を規制する。
【００３４】
係止部４が被係止部１３に当接した際に係止部４に没入方向の分力が発生しないように、係止部４と被係止部１３は作動脚部８の移動方向に対して直交する面で当接する。
【００３５】
係止部４の被係止部１３との係止を解除して操作ハンドル１をラッチ解除位置まで回転操作可能にするために、操作ハンドル１には、操作ハンドル１の回転軸（Ｃ０）に対して直交する軸周りに回転して開放操作可能位置まで回転操作するための自由度が与えられる。回転自由度は、図４に示すように、ガイド壁面１５の被係止部１３形成壁面に対して対向する壁面を裏面側に行くにしたがって漸次幅広となるように傾斜面１５ａにより形成するとともに、図３（ａ）に示すように、ヒンジ脚部７のベース係止溝７ａとハンドルベース２のヒンジ突部２ａとの間に回転クリアランス（θ）を設けることにより与えられる。
【００３６】
さらに、図４に示すように、上記係止部４が収容される係止部収容孔１４には、圧縮スプリング６を介して押圧部材５が収容され、係止部収容孔１４に開設される開口から突出する。圧縮スプリング６により突出方向に付勢される押圧部材５は突出端が球面により形成されて傾斜面を押圧し、操作ハンドル１を開放操作可能位置から初期位置側に付勢して初期位置に保持する。
【００３７】
したがってこの実施の形態において、操作ハンドル１を使用しない初期位置においては、操作ハンドル１は係止部４がハンドルベース２の被係止部１３に係止しているためにヒンジ回転軸（Ｃ０）周りの回転操作が規制される。この状態から操作ハンドル１の中央部に図１において矢印Ｆ方向、すなわち、下方向の操作力を付与すると、操作ハンドル１には回転クリアランス（θ）を解消する方向の回転力が発生し、図５（ａ）、図６に示すように、操作ハンドル１は開放操作可能位置に移動する。
【００３８】
図５（ａ）に示すように、開放操作可能位置において係止部４と被係止部１３との係止は解除されるために、この後、操作ハンドル１にヒンジ回転軸（Ｃ０）周りに回転させる操作力を付与すると、図５（ｂ）に示すように、操作ハンドル１をラッチ解除操作位置まで引き出すことができ、引き出し操作途中において、被係止部１３を乗り越えた係止部４はガイド壁面１５に押されて係止部収容孔１４内に没入する。
【００３９】
また、この状態で、操作ハンドル１への操作力を解除すると、操作ハンドル１は中継レバー１０に付与されたトーションスプリング１１からの付勢力により初期位置側へ移動する。操作ハンドル１の移動に伴って押圧部材５は傾斜面１５ａに押されて没入し、初期位置において係止部４が圧縮スプリング６の復元力により原位置に復帰して被係止部１３に弾発的に係止し、図５（ａ）に示す開放操作可能位置を経由することなく直接初期位置に復帰する。
【００４０】
なお、以上においては、操作ハンドル１を回転操作して開放操作可能位置に移動させる場合が示したが、開放操作可能位置への移動操作は、初期位置からのラッチ解除操作方向と異なる方向への操作であれば、例えば、操作ハンドル１の前方、あるいは後方に並進移動等、種々の方向に設定することができる。
【符号の説明】
【００４１】
１        操作ハンドル
２        ハンドルベース
３        ドアラッチ
４        係止部
５        押圧部材
６        スプリング
【図１】
2014084563.tif 000003
【図２】
2014084563.tif 000004
【図３】
2014084563.tif 000005
【図４】
2014084563.tif 000006
【図５】
2014084563.tif 000007
【図６】
2014084563.tif 000008